(57)【特許請求の範囲】
【請求項１】
バルコニーの床面またはこの床面に設けられた手摺壁に取り付けられる手摺であって、
前記床面または手摺壁に立設された支持部材と、
前記支持部材の外面側に設けられた面材と、
この面材の上端部および前記支持部材の上端部を覆う笠木とを備え、
前記笠木には、前記面材の上端部をはめ込む凹部が形成されており、この面材の上端部と笠木の凹部との間には、該凹部および前記面材に密着する保持部材が設けられ、
前記保持部材および前記支持部材には、互いに嵌合する嵌合部がそれぞれ形成され、
前記保持部材に形成された前記嵌合部が、前記支持部材に形成された前記嵌合部に上から被せて嵌合させることにより、前記保持部材が前記支持部材に固定されていることを特徴とする手摺。
【請求項２】
請求項１に記載の手摺において、
前記支持部材は、複数の支持柱と、該支持柱の上端部において支持柱間に渡された連結板とを備えていることを特徴とする手摺。
【請求項３】
バルコニーの床面またはこの床面に設けられた手摺壁に、請求項１又は２に記載の手摺を取り付ける手摺の取付方法であって、
前記床面または手摺壁に、床面または手摺壁から上方に向かって支持部材を立設し、
前記支持部材の外面側に面材を配置し、前記面材の上端部を保持部材で覆うとともに、
この保持部材に形成された前記嵌合部が、前記支持部材に形成された前記嵌合部を上から被せて嵌合させることにより、前記保持部材を前記支持部材に固定し、
次いで、前記保持部材に笠木の凹部をはめ込んで、前記保持部材および前記支持部材を笠木で覆うことを特徴とする手摺の取付方法。
【発明の詳細な説明】
【０００１】
【発明の属する技術分野】
本発明は、バルコニーの床面またはこの床面に設けられた手摺壁に取り付けられる手摺および手摺の取付方法に関するものである。
【０００２】
【背景の技術】
バルコニーには、安全上のため、壁状または格子状の手摺が取り付けられていることが多い。このバルコニーの手摺の一例として、特開平１０−２６６５１２号公報記載の技術が挙げられる。
この技術における手摺は、バルコニーの周縁の床面から上方に向かって立設する支持柱と、この支持柱に保持される面状のパネル（面材）とを備えている。そして、前記支持柱は、支持柱間に渡されてパネルが差し込み可能であるとともにパネルを保持可能に形成されたスライド枠を備えている。このスライド枠は、バルコニーの周縁に沿ってパネルをスライド可能とするために、バルコニーの周縁に沿って連続して形成されている。また、支持柱の上端部およびパネルの上端部には、これら支持柱およびパネルを覆う手摺本体（笠木）が取り付けられている。
【０００３】
【発明が解決しようとする課題】
ところで、前記特開平１０−２６６５１２号公報記載の手摺において、前記パネルには、例えば、ガラス板やアルミニウム板の壁状のパネルや、アルミニウム製の格子状のパネル等が使用されており、１種類のパネルからなる手摺であった。
しかし、例えば、このようなパネルを複数種類使用して、複数種類のパネルからなる手摺とすると、これらのパネルはそれぞれ異なる材質であるので、様々な形状を有し、その厚さ等の大きさも異なるものであるため、パネルの上端部および支持柱の上端部を覆う手摺本体（笠木）は、同一のものを使用することができなかった。そのため、パネルの形状や大きさに合った手摺本体（笠木）を、随時用意して変更しなければならず、コスト高となるとともに施工が面倒であった。
また、例えば、リフォームする際に、以前と異なるパネルに変更しようとすると、これらのパネルも異なる材質であるため、同一の手摺本体（笠木）を使用することができず、容易に変更できなかった。
【０００４】
本発明は、上記事情に鑑みてなされたもので、形状や大きさの異なる面材（パネル）であっても、笠木（手摺本体）を共通化でき、コストの削減および施工の簡略化を図ることのできる手摺および手摺の取付方法を提供することを課題としている。
【０００５】
【課題を解決するための手段】
上記課題を解決するために、請求項１の発明は、例えば、図２に示すように、バルコニー２の床面３またはこの床面３に設けられた手摺壁４に取り付けられる手摺１であって、
前記床面３または手摺壁４に立設された支持部材８と、
前記支持部材８の外面側に設けられた面材９と、
この面材９の上端部および前記支持部材８の上端部を覆う笠木１０とを備え、
前記笠木１０には、前記面材９の上端部をはめ込む凹部１０bが形成されており、この面材９の上端部と笠木１０の凹部１０bとの間には、該凹部１０bおよび前記面材９に密着する保持部材２１が設けられ、
前記保持部材２１および前記支持部材８には、互いに嵌合する嵌合部２１b，１３aがそれぞれ形成され、
前記保持部材２１に形成された前記嵌合部２１bが、前記支持部材８に形成された前記嵌合部１３aに上から被せて嵌合させることにより、前記保持部材２１が前記支持部材８に固定されていることを特徴とする。
【０００６】
請求項１の発明によれば、前記支持部材８と面材９と笠木１０とを備え、前記面材９の上端部と笠木１０の凹部１０bとの間には、該凹部１０bおよび前記面材９に密着する保持部材２１が設けられているので、この保持部材２１が笠木１０の凹部１０bおよび面材９に密着することによって、笠木１０と面材９とを確実に固定することができる。
また、前記面材９の形状や厚さ等の大きさが異なる場合でも、前記保持部材２１の形状や大きさを変えることによって、同一の笠木１０を使用することができ、容易に対応することができる。したがって、例えば、形状や大きさが異なる複数種類の面材９からなる手摺１としたり（図１参照）、リフォームする際に、形状や大きさの異なる他の種類の面材９に変えても、それぞれの面材９の形状や大きさに合った笠木１０を随時、用意する必要がなく、笠木１０の共通化を図れるとともに、コストの削減および施工の簡略化を図れる。
さらに、前記笠木１０に形成された凹部１０bに、前記面材９の上端部および保持部材２１がはめ込まれるので、笠木１０の前後方向の位置決めが容易となる。
【０００７】
前記面材９としては、例えば、クラスティング９a（図１参照）や、アルミニウム製の格子パネル９b（図１参照）、ガラス板、アルミニウム板、パンチングメタル、ＦＲＰ製の格子パネル等が挙げられる。
前記保持部材２１の材質としては、例えば、合成ゴムやアルミニウム等が挙げられる。
【０００９】
また、前記保持部材２１は、前記支持部材８に固定されているので、前記保持部材２１に密着する面材９および笠木１０が支持部材８に確実に固定される。
【００１１】
さらに、前記保持部材２１および前記支持部材８には、互いに嵌合する嵌合部２１b,１３aがそれぞれ形成されているので、それぞれの嵌合部２１b,１３aを互いに嵌合させることによって、保持部材２１と支持部材８とを強固に固定することができる。
また、例えば、嵌合部２１b,１３aをそれぞれ形成せずに、ネジによって保持部材２１と支持部材８とを固定する場合に比して、保持部材２１と支持部材８とを容易に固定することができる。
【００１２】
請求項２の発明は、例えば、図２に示すように、請求項１に記載の手摺１において、
前記支持部材８は、複数の支持柱１２，…と、該支持柱１２，…の上端部において支持柱１２，１２間に渡された連結板１３とを備えていることを特徴とする。
【００１３】
請求項２の発明によれば、前記支持部材８は、複数の支持柱１２，…と、連結板１３とを備えているので、複数の支持柱１２，…が前記連結板１３により、一旦、連結されることによって、連結板１３を覆う前記笠木１０をがたつくことなく、確実に取り付けることができる。
【００１４】
請求項３の発明は、例えば、図１および図４(a)〜(c)に示すように、バルコニー２の床面３またはこの床面３に設けられた手摺壁４に、請求項１又は２に記載の手摺１を取り付ける手摺１の取付方法であって、
前記床面３または手摺壁４に、床面３または手摺壁４から上方に向かって支持部材８を立設し、
前記支持部材８の外面側に面材９を配置し、前記面材９の上端部を保持部材２１で覆うとともに、この保持部材２１に形成された前記嵌合部２１bが、前記支持部材８に形成された前記嵌合部１３aを上から被せて嵌合させることにより、前記保持部材２１を前記支持部材８に固定し、
次いで、前記保持部材２１に笠木１０の凹部１０bをはめ込んで、前記保持部材２１および前記支持部材８を笠木１０で覆うことを特徴とする。
【００１５】
請求項３の発明によれば、前記床面３または手摺壁４に支持部材８を立設し、前記支持部材８の外面側に面材９を配置し、面材９の上端部を保持部材２１で覆うとともに、この保持部材２１を支持部材８に固定し、次いで、前記保持部材２１に笠木１０の凹部１０bをはめ込んで、前記保持部材２１および前記支持部材８を笠木１０で覆うので、前記面材９の上端部を保持部材２１で覆うとともに、支持部材８に固定することによって、前記面材９と支持部材８とを仮固定することができる。したがって、このように保持部材２１と支持部材８とは、一旦仮固定されているので、これら保持部材２１および支持部材８に笠木１０をスムーズに取り付けることができる。
【００１６】
また、前記面材９の形状や厚さ等の大きさが異なる場合でも、前記保持部材２１の形状や大きさを変えることによって、同一の笠木１０を使用することができ、容易に対応することができる。したがって、笠木１０の共通化を図れるとともに、コストの削減および施工の簡略化を図れる。
さらに、前記保持部材２１に笠木１０の凹部１０bをはめ込んで、前記保持部材２１および前記支持部材８を笠木１０で覆うので、笠木１０の前後方向の位置決めが容易となる。
【００１７】
【発明の実施の形態】
以下、本発明の実施の形態を図面に基づいて説明する。
図１は、本発明の実施の形態の手摺が、バルコニーの手摺壁に取り付けられた構造を示す斜視図、図２は、面材としてクラスティングが使用されている箇所の手摺の側断面図、図３は、面材としてアルミニウム製の格子パネルが使用されている箇所の手摺の側断面図、図４(a)〜(c)は、手摺が手摺壁に取り付けられる工程を示す側断面図である。
図１に示すように、本発明の実施の形態の手摺１は、バルコニー２の床面３に設けられた手摺壁４に取り付けられる。
前記手摺壁４は、図２および図３に示すように、バルコニー２の床面３の周縁に沿って、床面３から上方に向かって立設されている。
【００１８】
この手摺壁４は、四角枠材および面材からなり、前記床面３から上方に立設される手摺基礎パネル５と、この手摺基礎パネル５の上端に固定された木質からなる調整材６とを備えている。
そして、このような手摺壁４の内面側および外面側には、全体の表面を覆う防水シート材（図示しない）が貼付されており、さらに、この防水シート材が貼付された手摺壁４の内面側および外面側には、セラミック材からなるサイディング７，７が取り付けられている。
【００１９】
前記手摺１は、前記手摺壁４に立設される支持部材８と、この支持部材８の外面側に設けられた複数の面材９，…と、この面材９の上端部および支持部材８の上端部を覆う笠木１０とを備えている。
前記複数の面材９，…とは、住宅の外壁材等に使用されるクラスティング９aと、アルミニウム製の格子パネル９bとの２種類の面材からなるものである（図１参照）。
なお、図２では、クラスティング９aが設けられている場合であり、図３では、アルミニウム製の格子パネル９bが設けられている場合である。
前記支持部材８の下端部には、手摺壁４に固定ネジ２２，２２を介して固定される固定部１１が設けられている。
【００２０】
前記支持部材８は、手摺壁４から上方に立設される複数の支持柱１２，…と、該支持柱１２の上端部において支持柱１２，１２間に渡された連結板１３とを備えている。
前記支持柱１２は、固定部１１の上面から上方に向かって延びる板状のはめ込み芯材１４と、このはめ込み芯材１４の外側表面にはめ込まれて、固定用ボルト１５，…を介してはめ込み芯材１４に固定されるアルミニウムからなる中空枠状のはめ込み枠１６とを備えているものである。そして、このはめこみ枠１６の上端部に前記連結板１３が取り付けられており、また、はめこみ枠１６の下端部には、手摺壁４の上端部を覆うようにして側断面視略コ字状の手摺壁カバー部材１７が取り付けられている。
この手摺壁カバー部材１７の上面には、前記面材９の下端部がはめ込まれる下枠材１８が、固定ネジ１９によって固定されている。
【００２１】
また、前記支持部材８の上端部、すなわち、連結板１３には、該連結板１３を覆うように中空筒状の笠木１０が固定ネジ２０，２０を介して取り付けられている。
この笠木１０には、連結板１３の内面側に当接する当接部１０aが設けられている。また、笠木１０には、前記面材９a,９bの上端部をはめ込む側断面視略コ字状の凹部１０bが形成されている。そして、この笠木１０の凹部１０bと前記面材９a,９bの上端部との間には、該凹部１０bおよび面材９a,９bに密着する保持部材２１が設けられている。
【００２２】
前記保持部材２１の材質としては、例えば、ＥＰＤＭ等の合成ゴムが挙げられる。
また、保持部材２１には、面材９a,９bの上端部がはめ込まれる凹部２１aが形成されており、この凹部２１aに面材９a,９bがはめ込まれて、面材９a,９bに密着している。
この保持部材２１に形成された凹部２１aは、面材９a,９bの厚さに等しくなっている。すなわち、クラスティング９aがはめ込まれる保持部材２１の凹部２１aの厚さＡは、アルミニウム製の格子パネル９bがはめ込まれる保持部材２１の凹部２１aの厚さＢよりも大きくなっている。
【００２３】
さらに、保持部材２１および前記連結板１３には、互いに嵌合する嵌合部２１b,１３aがそれぞれ形成されており、これらが互いに嵌合することによって、保持部材２１が支持部材８に固定されるようになっている。
【００２４】
次に、バルコニー２の床面３に設けられた手摺壁４に、前記手摺１が取り付けられる手摺１の取付方法について説明する。
なお、ここでは、図４(a)〜(c)に示すように、面材９としてクラスティング９aが使用された箇所を例にとって説明するが、アルミニウム製の格子パネル９bにおいても同様の取付方法によって取り付けられる。
まず、図４(a)に示すように、前記手摺壁４（図４では図示しない）の上端部に、前記複数の支持柱１２，…を立設する。そして、これら支持柱１２，…の上端部に、該支持柱１２，１２間を渡すように連結板１３を取り付けることによって支持部材８とする。その後、手摺壁４の上端部で、かつ、支持部材８の外面側に面材９aを配置する。
【００２５】
次に、図４(b)に示すように、前記面材９aの上端部に、前記保持部材２１の凹部２１aをはめ込んで覆うとともに、保持部材２１の嵌合部２１bと連結板１３の嵌合部１３aとを嵌合させることによって、保持部材２１と支持部材８とを仮固定する。
【００２６】
次いで、図４(c)に示すように、保持部材２１に笠木１０の凹部１０bをはめ込んで、保持部材２１および支持部材８を笠木１０で覆う。そして、笠木１０と連結板１３とを固定ネジ２０，２０によって固定することによって取り付ける。
【００２７】
本発明の実施の形態の手摺１によれば、前記支持部材８と面材９と笠木１０とを備え、面材９の上端部と笠木１０の凹部１０bとの間には、該凹部１０bおよび面材９に密着する保持部材２１が設けられているので、笠木１０と面材９とを確実に固定することができる。
また、面材９が、クラスティング９aやアルミニウム製の格子パネル９bのように厚さが異なっていても、保持部材２１の凹部２１aの厚さをそれぞれ変えることによって、同一の笠木１０を使用することができ、容易に対応することができる。したがって、笠木１０の共通化を図れるとともに、コストの削減および施工の簡略化を図れ、さらに、同一の笠木１０を使用することによって見栄えにも優れる。
また、笠木１０に形成された凹部１０bによって、笠木１０の前後方向の位置決めが容易となる。
【００２８】
前記保持部材２１および支持部材８は、互いに嵌合する嵌合部２１b,１３aがそれぞれ形成されているので、保持部材２１と支持部材８とを確実かつ強固に固定することができる。
また、例えば、ネジによって保持部材２１と支持部材８とを固定する場合に比して、保持部材２１と支持部材８とを容易に固定することができる。
【００２９】
前記支持部材８は、複数の支持柱１２，…と、連結板１３とを備えているので、連結板１３を覆う笠木１０をがたつくことなく、確実に取り付けることができる。
【００３０】
前記保持部材２１には、合成ゴムが使用されているので、弾性を有し、面材９および笠木１０に対する密着性が増し、より確実に固定することができる。
【００３１】
本発明の実施の形態の手摺１の取付方法によれば、手摺壁４に支持部材８を立設し、支持部材８の外面側に面材９，…を配置し、面材９の上端部を保持部材２１で覆うとともに、この保持部材２１を支持部材８に固定し、次いで、保持部材２１に笠木１０の凹部１０bをはめ込んで、保持部材２１および支持部材８を笠木１０で覆うので、保持部材２１によって面材９と支持部材８とを仮固定することができる。したがって、保持部材２１および支持部材８に、笠木１０をスムーズに取り付けることができる。
また、前記保持部材２１によって、前記面材９と支持部材８とを仮固定するので、互いに隣り合う面材９，９どうしの目地幅を調整し易い。
【００３２】
なお、本発明の実施の形態では、前記複数の面材９，…は、クラスティング９aや、アルミニウム製の格子パネル９bであるとしたが、例えば、ガラス板、アルミニウム板、パンチングメタル、ＦＲＰ製の格子パネル等を使用しても良い。
このような面材９を使用する場合は、面材９の形状や大きさ等に応じた保持部材２１を使用すれば良く、笠木１０は共通のものを使用することができる。
【００３３】
また、本発明の実施の形態において、前記手摺１は、手摺壁４の上端に取り付けられていたが、この手摺壁４を床面３に設けずに、バルコニー２の床面３に直接、前記手摺１を取り付けるようにしても良い。
【００３４】
さらに、前記保持部材２１と連結板１３とは、それぞれに形成された嵌合部２１b,１３aどうしを嵌合させることによって固定されていたが、例えば、保持部材２１と連結板１３とを固定ネジを介して固定するようにしても良い。
【００３５】
また、前記保持部材２１の材質としては、ＥＰＤＭ等の合成ゴムとしたが、例えば、アルミニウム等であっても良い。
【００３６】
【発明の効果】
請求項１の発明によれば、前記笠木と面材とを確実に固定することができる。
また、前記面材の形状や厚さ等の大きさが異なる場合でも、前記保持部材の形状や大きさを変えることによって、同一の笠木を使用することができ、容易に対応することができる。したがって、笠木の共通化を図れるとともに、コストの削減および施工の簡略化を図れる。
さらに、前記笠木の前後方向の位置決めが容易となる。
【００３７】
また、前記面材が支持部材に確実に固定される。
【００３８】
さらに、前記保持部材および支持部材の嵌合部を互いに嵌合させることによって、保持部材と支持部材とを強固かつ容易に固定することができる。
【００３９】
請求項２の発明によれば、請求項１と同様の効果を得ることができるのは勿論のこと、複数の支持柱が前記連結板により、一旦、連結されることによって、連結板を覆う前記笠木をがたつくことなく、確実に取り付けることができる。
【００４０】
請求項３の発明によれば、前記面材と支持部材とを仮固定することができ、よって、保持部材および支持部材に笠木をスムーズに取り付けることができる。
また、前記面材の形状や厚さ等の大きさが異なる場合でも、前記保持部材の形状や大きさを変えることによって、同一の笠木を使用することができ、容易に対応することができる。したがって、笠木の共通化を図れるとともに、コストの削減および施工の簡略化を図れる。
さらに、前記笠木の前後方向の位置決めが容易となる。
【図面の簡単な説明】
【図１】本発明の実施の形態を示すためのもので、手摺がバルコニーの手摺壁に取り付けられた構造を示す斜視図である。
【図２】同、面材としてクラスティングが使用されている箇所の手摺の側断面図である。
【図３】同、面材としてアルミニウム製の格子パネルが使用されている箇所の手摺の側断面図である。
【図４】同、手摺が、手摺壁に取り付けられる工程を示す側断面図である。
【符号の説明】
１  手摺
２  バルコニー
３  床面
４  手摺壁
８  支持部材
９  面材
１０  笠木
１０b  凹部
１２  支持柱
１３  連結板
１３a,２１b  嵌合部
２１  保持部材
【図１】
0003946512.tif 000002
【図２】
0003946512.tif 000003
【図３】
0003946512.tif 000004
【図４】
0003946512.tif 000005